(57)【要約】【課題】電磁継電器において、アークの伸長方向の制御を容易にできるようにすることにある。【解決手段】電磁継電器は、１対の固定端子と、可動接触片と、収容部と、磁石部と、を備える。１対の固定端子は、固定接点を含む。可動接触片は、固定接点に対向して配置された可動接点を含み、可動接点が固定接点に接触する方向と、可動接点が固定接点から開離する方向とに移動可能である。収容部は、固定接点と可動接触片を収容する収容空間を含む。磁石部は、収容部の周囲で可動接触片の長手方向に互いに異極が対向するように配置され可動接触片の短手方向における寸法が短手方向における収容空間の寸法よりも大きい１対の磁石を含む。磁石部は、固定接点と可動接点との間で生じたアークが可動接触片の短手方向における収容部の内壁面に当たるように、かつアークが可動接触片の長手方向における収容部の内壁面に当たらないような磁界を収容空間に発生させる。【選択図】図２
2020107545.tif 000002
【特許請求の範囲】
【請求項１】
固定接点を含む１対の固定端子と、
前記固定接点に対向して配置された可動接点を含み、前記可動接点が前記固定接点に接触する方向と、前記可動接点が前記固定接点から開離する方向とに移動可能な可動接触片と、
前記固定接点と前記可動接触片を収容する収容空間を含む収容部と、  
前記収容部の周囲で前記可動接触片の長手方向に互いに異極が対向するように配置され前記可動接触片の短手方向における寸法が前記短手方向における前記収容空間の寸法よりも大きい１対の磁石を含み、前記固定接点と前記可動接点との間で生じたアークが前記短手方向における前記収容部の内壁面に当たるように、かつ前記アークが前記長手方向における前記収容部の内壁面に当たらないような磁界を前記収容空間に発生させる磁石部と、
を備えた、
電磁継電器。
【請求項２】
前記磁石部は、前記１対の磁石に接続されるヨークをさらに含む、
請求項１に記載の電磁継電器。
【請求項３】
前記短手方向における前記１対の磁石の寸法は、前記短手方向における前記収容部の寸法よりも大きい、
請求項１又は２に記載の電磁継電器。
【請求項４】
固定接点を含む１対の固定端子と、
前記固定接点に対向して配置された可動接点を含み、前記可動接点が前記固定接点に接触する方向と、前記可動接点が前記固定接点から開離する方向とに移動可能な可動接触片と、
前記固定接点と前記可動接触片を収容する収容空間を含む収容部と、
前記収容部の周囲で前記可動接触片の短手方向に互いに対向するように配置され前記可動接触片の長手方向における寸法が前記長手方向における前記収容空間の寸法よりも大きい１対の磁石と、前記１対の磁石に接続され前記収容空間内の磁束を前記長手方向と平行な方向に流すためのヨークと、を含み、前記収容空間に磁界を発生させる磁石部と、
を備えた、
電磁継電器。
【請求項５】
前記磁石部は、前記固定接点と前記可動接点との間で生じたアークが前記短手方向における前記収容部の内壁面に当たるように、かつ前記アークが前記長手方向における前記収容部の内壁面に当たらないような磁界を前記収容空間に発生させる、
請求項４に記載の電磁継電器。
【請求項６】
前記長手方向における前記１対の磁石の寸法は、前記長手方向における前記収容部の寸法よりも大きい、
請求項４又は５に記載の電磁継電器。
【請求項７】
前記収容空間は、前記可動接触片と前記収容部の内壁面との間に配置され前記アークを伸長させるためのアーク伸長空間を含み、
前記アーク伸長空間内における磁界の磁束線と前記長手方向に平行な直線とのなす角度は、４５°以内である、
請求項１から６のいずれか１項に記載の電磁継電器。
【発明の詳細な説明】
【技術分野】
【０００１】
本発明は、電磁継電器に関する。
【背景技術】
【０００２】
従来、電磁継電器において、磁石の磁力を利用して接点に生じるアークを伸長させて消弧する電磁継電器が知られている。例えば、特許文献１では、１対の磁石が可動接触片の長手方向に互いに異極が対向するように配置されており、接点に対して磁束が可動接触片の長手方向に流れている。接点に生じるアークには、１対の磁石の磁力によってローレンツ力が作用して、アークが可動接触片の短手方向に伸長される。
【先行技術文献】
【特許文献】
【０００３】
【特許文献１】特開２０１４−１１００９４号公報
【発明の概要】
【発明が解決しようとする課題】
【０００４】
図１５は、１対の磁石の間を流れる磁束を模式的に示した図である。詳細には、１対の磁石１０１，１０２を可動接触片１０３の長手方向（図１５の左右方向）に互いに異極が対向するように配置したときの１対の磁石１０１，１０２の間を流れる磁束を模式的に示した図である。１対の磁石１０１，１０２の間を流れる磁束は、１対の磁石１０１，１０２の中心付近、すなわち接点１０４，１０５付近において可動接触片１０３の長手方向に平行な方向に流れる。このため、接点１０４，１０５付近では、アークに対して可動接触片１０３の短手方向（図１５の上下方向）に平行な方向にローレンツ力が作用する。
【０００５】
一方、１対の磁石１０１，１０２の端部付近、すなわち接点１０４，１０５から可動接触片１０３の短手方向に離れた位置では、１対の磁石１０１，１０２の間の磁束は、可動接触片１０３の短手方向外側に広がるように湾曲する。このため、接点１０４，１０５から可動接触片１０３の短手方向外側に離れるにつれてアークに作用するローレンツ力の方向が変化する。したがって、接点１０４，１０５から可動接触片１０３の短手方向外側に離れた位置では、アークの伸長方向を意図する方向に制御することが難しい。
【０００６】
また、磁石の端部付近は、磁界が強く磁束の向きも変化するので、アークを伸長させる空間が磁石の端部に近い場合も、アークの伸長方向を意図する方向に制御することが難しい。
【０００７】
本発明の課題は、電磁継電器において、アークの伸長方向の制御を容易にできるようにすることにある。
【課題を解決するための手段】
【０００８】
本発明の一態様に係る電磁継電器は、１対の固定端子と、可動接触片と、収容部と、磁石部と、を備える。１対の固定端子は、固定接点を含む。可動接触片は、固定接点に対向して配置された可動接点を含み、可動接点が固定接点に接触する方向と、可動接点が固定接点から開離する方向とに移動可能である。収容部は、固定接点と可動接触片を収容する収容空間を含む。磁石部は、収容部の周囲で可動接触片の長手方向に互いに異極が対向するように配置され可動接触片の短手方向における寸法が短手方向における収容空間の寸法よりも大きい１対の磁石を含む。磁石部は、固定接点と可動接点との間で生じたアークが短手方向における収部の内壁面に当たるように、かつアークが長手方向における収容部の内壁面に当たらないような磁界を収容空間に発生させる。
【０００９】
この電磁継電器では、可動接触片の短手方向における１対の磁石部の寸法が可動接触片の短手方向における収容空間の寸法よりも大きいので、収容空間内において可動接触片の長手方向と平行な方向に流れる磁束の範囲が短手方向に広くなる。このため、可動接点から可動接触片の短手方向外側に離れた位置であっても、アークに作用するローレンツ力の方向が大きく変化することを抑制できる。これにより、例えば、可動接触片の短手方向と平行な方向にアークを伸長させることができるので、アークの伸長方向の制御が容易にできるようになる。また、可動接触片の短手方向における磁石の端部を収容空間から離れた位置に配置することができるので、磁束の向きが変化してアークに作用するローレンツ力の方向が変化することを抑制できる。さらに、磁石部は、磁束のアークが長手方向における収容部の内壁面に当たらないように収容空間に磁界を発生させるので、磁束の始点または終点に近い長手方向における収容部の内壁面にアークが当たってアークの伸長が阻害されることを抑制できる。
【００１０】
好ましくは、磁石部は、１対の磁石に接続されるヨークをさらに含む、この場合は、ヨークによって磁束を集中させることで、アークの伸長方向の制御がさらに容易にできるようになる。
【００１１】
好ましくは、短手方向における１対の磁石の寸法は、短手方向における収容部の寸法よりも大きい。この場合は、収容空間内において長手方向と平行な方向に流れる磁束の範囲が短手方向にさらに広くなるので、アークの伸長方向の制御がさらに容易にできるようになる。
【００１２】
本発明の一態様に係る電磁継電器は、１対の固定端子と、可動接触片と、収容部と、磁石部と、を備える。１対の固定端子は、固定接点を含む。可動接触片は、固定接点に対向して配置された可動接点を含み、可動接点が固定接点に接触する方向と、可動接点が固定接点から開離する方向とに移動可能である。収容部は、固定接点と可動接触片を収容する収容空間を含む。磁石部は、収容空間に磁界を発生させる。磁石部は、収容部の周囲で可動接触片の短手方向に互いに対向するように配置され可動接触片の長手方向における寸法が長手方向における収容空間の寸法よりも大きい１対の磁石と、１対の磁石に接続され収容空間内の磁束を長手方向と平行な方向に流すためのヨークと、を含む。
【００１３】
この電磁継電器では、可動接触片の長手方向における寸法が可動接触片の長手方向における収容空間の寸法よりも大きい１対の磁石にヨークを接続することで、収容空間内において可動接触片の長手方向と平行な方向に流れる磁束の範囲を短手方向に広くすることができる。このため、固定接点及び可動接点から可動接触片の短手方向外側に離れた位置であっても、アークに作用するローレンツ力の方向が大きく変化することを抑制できる。
【００１４】
好ましくは、磁石部は、固定接点と可動接点との間で生じたアークが短手方向における収容部の内壁面に当たるように、かつアークが長手方向における収容部の内壁面に当たらないような磁界を収容空間に発生させる。この場合は、磁束の始点または終点に近い長手方向における収容部の内壁面にアークが当たってアークの伸長が阻害されることを抑制できる。
【００１５】
好ましくは、長手方向における１対の磁石の寸法は、長手方向における収容部の寸法よりも大きい。この場合は、収容空間内において長手方向と平行な方向に流れる磁束の範囲が短手方向にさらに広くなるので、アークの伸長方向の制御がさらに容易にできるようになる。
【００１６】
好ましくは、収容空間は、アークを伸長させるアーク伸長空間を含む。アーク伸長空間内における磁界の磁束線と長手方向に平行な直線とのなす角度は、４５°以内である。この場合は、アーク伸長空間においてアークに作用するローレンツ力の方向が大きく変化することを効果的に抑制できる。
【００１７】
本発明によれば、電磁継電器において、アークの伸長方向の制御が容易にできるようになる。
【図面の簡単な説明】
【００１８】
【図１】電磁継電器の断面模式図である。
【図２】磁石部及び収容部の構成を示す模式図である。
【図３（Ａ）】収容空間内の磁束の流れを模式的に示した図である。
【図３（Ｂ）】図３（Ａ）の部分拡大図である。
【図４】電磁継電器の断面模式図である。
【図５】磁石部の第１変形例を示す模式図である。
【図６】磁石部の第２変形例を示す模式図である。
【図７】磁石部の第２変形例を示す模式図である。
【図８】磁石部の第３変形例を示す模式図である。
【図９】磁石部の第３変形例を示す模式図である。
【図１０】磁石部の第４変形例を示す模式図である。
【図１１】磁石部の第５変形例を示す模式図である。
【図１２】磁石部の第６変形例を示す模式図である。
【図１３】磁石部の第７変形例を示す模式図である。
【図１４】磁石部の第８変形例を示す模式図である。
【図１５】１対の磁石の間を流れる磁束を模式的に示した図である。
【発明を実施するための形態】
【００１９】
以下、本発明の一態様に係る電磁継電器の実施形態について、図面を参照して説明する。図１は電磁継電器１００の断面模式図である。図１に示すように、電磁継電器１００は、ハウジング２と、接点装置３と、駆動軸４と、電磁駆動装置５と、磁石部６と、を備えている。
【００２０】
なお、図面を参照するときにおいて、説明を分かり易くするために図１における上側を「上」、下側を「下」、左側を「左」、右側を「右」として説明する。また、図１の紙面と直交する方向を前後方向として説明する。なお、本実施形態では、図１における上方は、接触方向Ｚ１である。また、図１における下方は、開離方向Ｚ２である。接触方向Ｚ１及び開離方向Ｚ２の詳細については後述する。
【００２１】
ハウジング２は、略四角形の箱型であり、絶縁性を有する材料で形成されている。ハウジング２の内部には、接点装置３、駆動軸４、電磁駆動装置５、及び磁石部６が収容されている。
【００２２】
ハウジング２は、収容部１１を含む。収容部１１は、例えば、ハウジング２内に配置される略直方体形状のケース部材によって構成されている。収容部１１は、絶縁性を有する材料で形成されている。
【００２３】
図２は、磁石部６及び収容部１１の構成を示す模式図であり、収容部１１の周辺の断面を上方から見た模式図である。収容部１１は、第１内壁面１１ａと、第２内壁面１１ｂと、第３内壁面１１ｃと、第４内壁面１１ｄと、を含む。第１〜第４内壁面１１ａ〜１１ｄのそれぞれは、収容部１１の前後左右の内側面である。第１内壁面１１ａ及び第２内壁面１１ｂは、上下方向かつ左右方向に延びている。第１内壁面１１ａ及び第２内壁面１１ｂは、前後方向に互いに対向して配置されている。第３内壁面１１ｃ及び第４内壁面１１ｄは、上下方向かつ前後方向に延びている。第３内壁面１１ｃ及び第４内壁面１１ｄは、左右方向に互いに対向して配置されている。第１内壁面１１ａ及び第２内壁面１１ｂの左右方向の寸法は、第３内壁面１１ｃ及び第４内壁面１１ｄの上下方向の寸法よりも長い。
【００２４】
収容部１１は、接点装置３を収容する収容空間１２を含む。収容空間１２は、本実施形態では、外部から遮断された略直方体形状の空間で構成されている。収容空間１２の側方は、第１〜第４内壁面１１ａ〜１１ｄによって囲まれている。
【００２５】
接点装置３は、図１に示すように、第１固定端子１４と、第２固定端子１５と、可動接触片１６と、接触片保持部１７と、を含む。第１固定端子１４、第２固定端子１５、及び可動接触片１６は、導電性を有する材料で形成されている。
【００２６】
第１固定端子１４及び第２固定端子１５は、円柱状の端子であり、上下方向に延びている。第１固定端子１４及び第２固定端子１５は、左右方向に互いに間隔を隔ててハウジング２の上部に固定されている。第１固定端子１４及び第２固定端子１５は、１対の固定端子の一例である。
【００２７】
第１固定端子１４は、第１固定接点１４ａと、第１外部接続部１４ｂと、を含む。第１固定接点１４ａは、収容空間１２内に配置されている。第１外部接続部１４ｂは、ハウジング２から上方に突出して外部に露出している。第２固定端子１５は、第２固定接点１５ａと、第２外部接続部１５ｂと、を含む。第２固定接点１５ａは、収容空間１２内に配置されている。第２外部接続部１５ｂは、ハウジング２から上方に突出して外部に露出している。
【００２８】
可動接触片１６は、図１及び図２に示すように、一方向に長い板状部材であり、収容空間１２内で左右方向に延びている。可動接触片１６は、収容空間１２内で第１内壁面１１ａ及び第２内壁面１１ｂと前後方向に間隔を隔てて配置されている。可動接触片１６と第１内壁面１１ａとの間、及び可動接触片１６と第２内壁面１１ｂとの間には、アークを伸長させるためのアーク伸長空間１２ａ，１２ｂが設けられている。アーク伸長空間１２ａ，１２ｂは、第１固定接点１４ａと後述する第１可動接点１６ａ、又は第２固定接点１４ｂと後述する第２可動接点１６ｂに近接した位置に配置されている。
【００２９】
可動接触片１６は、収容空間１２内で第３内壁面１１ｃ及び第４内壁面１１ｄと左右方向に間隔を隔てて配置されている。可動接触片１６は、第１固定端子１４及び第２固定端子１５の下方に配置されている。なお、本実施形態において、可動接触片１６の長手方向は、左右方向と一致する。また、可動接触片１６の短手方向は、前後方向と一致する。
【００３０】
可動接触片１６は、第１可動接点１６ａと、第２可動接点１６ｂと、を含む。第１可動接点１６ａは、第１固定接点１４ａに対向して配置され、第１固定接点１４ａに接触可能である。第２可動接点１６ｂは、第１可動接点１６ａと左右方向に間隔を隔てて配置されている。第２可動接点１６ｂは、第２固定接点１５ａに対向して配置され、第２固定接点１５ａに接触可能である。
【００３１】
可動接触片１６は、第１固定接点１４ａ及び第２固定接点１５ａに接触する接触方向Ｚ１及び第１固定接点１４ａ及び第２固定接点１５ａから開離する開離方向Ｚ２に移動可能である。接触方向Ｚ１は、第１方向の一例であり、開離方向Ｚ２は、第２方向の一例である。
【００３２】
接触方向Ｚ１は、第１可動接点１６ａ及び第２可動接点１６ｂが第１固定接点１４ａ及び第２固定接点１５ａに対して接触する方向（図１における上方）である。開離方向Ｚ２は、第１可動接点１６ａ及び第２可動接点１６ｂが第１固定接点１４ａ及び第２固定接点１５ａから開離する方向（図１における下方）である。
【００３３】
接触片保持部１７は、図１に示すように、駆動軸４を介して可動接触片１６を保持する。接触片保持部１７は、可動接触片１６と駆動軸４とを連結する。接触片保持部１７は、ホルダ２４と、接点バネ２５と、を含む。接点バネ２５は、駆動軸４及び可動接触片１６を接触方向Ｚ１側に向けて付勢する。
【００３４】
駆動軸４は、接触方向Ｚ１及び開離方向Ｚ２に沿って延びている。駆動軸４は、可動接触片１６とともに接触方向Ｚ１及び開離方向Ｚ２に移動可能である。
【００３５】
電磁駆動装置５は、接点装置３を駆動する。電磁駆動装置５は、電磁力によって駆動軸４とともに可動接触片１６を接触方向Ｚ１及び開離方向Ｚ２に移動させる。電磁駆動装置５は、ハウジング２内において、収容部１１の下方に配置されている。
【００３６】
電磁駆動装置５は、可動鉄心３１と、固定鉄心３２と、ヨーク３３と、を含む。また、電磁駆動装置５は、図示しないコイル、スプール、及びコイルバネを含む。なお、電磁駆動装置５は、従来と同様の構成であるため詳細な説明を省略する。
【００３７】
次に電磁継電器１００の動作について説明する。なお、電磁継電器１００の動作は、従来と同様であるため簡略に説明する。
【００３８】
図１は、コイルに電圧が印加された状態を示している。コイルに電圧が印加されると、可動鉄心３１がコイルバネの弾性力に抗して接触方向Ｚ１に移動する。可動鉄心３１の接触方向Ｚ１の移動に伴い、駆動軸４及び可動接触片１６は接触方向Ｚ１に移動して、第１可動接点１６ａ及び第２可動接点１６ｂが、第１固定接点１４ａ及び第２固定接点１５ａに接触する。コイルへの電圧の印加が停止されると、可動鉄心３１がコイルバネの弾性力によって可動接触片１６とともに開離方向Ｚ２に移動する。これにより、第１可動接点１６ａ及び第２可動接点１６ｂは、第１固定接点１４ａ及び第２固定接点１５ａから開離した状態になる。この第１可動接点１６ａ及び第２可動接点１６ｂが、第１固定接点１４ａ及び第２固定接点１５ａから開離するときに、第１可動接点１６ａと第１固定接点１４ａとの間、及び第２可動接点１６ｂと第２固定接点１５ａとの間でアークが発生する。
【００３９】
磁石部６は、アークが短手方向における収容部１１の内壁面（１１ａ，１１ｂ）に当たるように、かつアークが長手方向における収容部１１の内壁面（１１ｃ，１１ｄ）に当たらないような磁界を収容空間１２に発生させる。これにより、アークが所定方向に伸長され、アークが迅速に消弧される。
【００４０】
詳細には、磁石部６は、第１磁石６ａ、第２磁石６ｂと、を含む。第１磁石６ａと第２磁石６ｂは、１対の磁石の一例である。第１磁石６ａ及び第２磁石６ｂは、永久磁石である。第１磁石６ａ及び第２磁石６ｂは、アークが第１内壁面１１ａ又は第２内壁面１１ｂに当たるように、かつアークが第３内壁面１１ｃ及び第４内壁面１１ｄに当たらないような磁界を収容空間１２に発生させる大きさで構成されている。
【００４１】
第１磁石６ａ及び第２磁石６ｂは、前後方向かつ上下方向に延びている。第１磁石６ａ及び第２磁石６ｂは、本実施形態では収容部１１の外周に固定されている。第１磁石６ａ及び第２磁石６ｂは、収容部１１の周囲で可動接触片１６の長手方向に互いに対向するように配置されている。第１磁石部６ａは、収容部１１の左側に配置されている。第２磁石６ｂは、収容部１１の右側に配置されている。
【００４２】
第１磁石６ａ及び第２磁石６ｂは、異極が互いに対向するように配置されている。詳細には、第１磁石６ａは、Ｎ極が収容部１１に面して配置されている。第２磁石６ｂは、Ｓ極が収容部１１に面して配置されている。
【００４３】
図２に示すように、可動接触片１６の短手方向における第１磁石６ａ及び第２磁石６ｂの寸法Ｄ１は、可動接触片１６の短手方向における収容空間１２の寸法Ｄ２よりも大きい。詳細には、可動接触片１６の短手方向における第１磁石６ａの両端は、収容空間１２よりも可動接触片１６の短手方向外側に延びている。本実施形態では、可動接触片１６の短手方向における第１磁石６ａの両端は、収容部１１よりも可動接触片１６の短手方向外側に延びている。同様に、可動接触片１６の短手方向における第２磁石６ｂの両端は、収容空間１２よりも可動接触片１６の短手方向外側に延びている。本実施形態では、可動接触片１６の短手方向における第２磁石６ｂの両端は、収容部１１よりも可動接触片１６の短手方向外側に延びている。
【００４４】
寸法Ｄ１の大きさは、収容空間１２に発生させる磁界によってアークが第１内壁面１１ａ又は第２内壁面１１ｂに当たるように、かつアークが第３内壁面１１ｃ及び第４内壁面１１ｄに当たらないような大きさで構成される。寸法Ｄ１は、例えば、可動接触片１６から第１〜第４内壁面１１ａ〜１１ｄまでの距離などに応じて適宜調整される。なお、図１に示すように、第１磁石６ａ及び第２磁石６ｂの上下方向の寸法は、収容空間１２の上下方向の寸法と同程度である。
【００４５】
第１磁石６ａ及び第２磁石６ｂをこのような構成にすることで、収容空間１２内において可動接触片１６の長手方向に平行な方向に流れる磁束の範囲を広くすることができる。すなわち、図２に示すように、第１磁石６ａから第２磁石６ｂに向かって流れる磁束Ｍは、第１内壁面１１ａ及び第２内壁面１１ｂに近接した範囲においても可動接触片１６の長手方向に平行な方向に流れる。このため、アークがアーク伸長空間１２ａ，１２ｂで伸長されるときにおいて、アークが第１内壁面１１ａ又は第２内壁面１１ｂに当たるまで可動接触片１６の短手方向と平行な方向にローレンツ力が作用する。すなわち、本実施形態に係る電磁継電器１００では、アークの伸長に応じてアークに作用するローレンツ力の方向が変化することを抑制できる。これにより、アークの伸長方向を意図する方向に容易に制御することができる。
【００４６】
図３（Ａ）は、収容空間１２を上方から見たときの収容空間１２内の磁束の流れを模式的に示した図である。詳細には、収容空間１２内において、可動接触片１６付近の磁束の流れを模式的に示した図である。図３（Ｂ）は、図３（Ａ）の部分拡大図であり、アーク収容空間１２ａ，１２ｂを流れる磁束線と可動接触片１６の長手方向に平行な直線とのなす角度の関係を説明する図である。アーク伸長空間１２ａ，１２ｂ内における磁界の磁束線と可動接触片１６の長手方向に平行な直線とのなす角度は、４５°以内であることが好ましい。具体的には、図３（Ｂ）に示すように、アーク伸長空間１２ａ，１２ｂ内において、可動接触片１６の長手方向に平行な直線（Ｘ軸）と磁束線の接線とのなす鋭角θは、４５°以内であることが好ましい。言い換えると、可動接触片１６の長手方向に平行な直線（Ｘ軸）と磁束線の接線とのなす鋭角θが４５°以内の範囲に、アーク伸長空間１２ａ，１２ｂを配置することが好ましい。これにより、アークがアーク伸長空間１２ａ，１２ｂで伸長されるときにおいて、アークに作用するローレンツ力の方向が大きく変化することを抑制できるので、アークの伸長方向を意図する方向に容易に制御することができる。
【００４７】
以上、本発明の一態様に係る電磁継電器の実施形態について説明したが、本発明は上記実施形態に限定されるものではなく、発明の要旨を逸脱しない範囲で種々の変更が可能である。例えば、ハウジング２、接点装置３、電磁駆動装置５、或いは収容部１１の形状、或いは配置が変更されてもよい。
【００４８】
例えば、前記実施形態では、第１固定端子１４及び第２固定端子１５は、円柱状の端子であったが、図４に示すように、第１固定端子１４及び第２固定端子１５は左右方向に延びる板状の端子であってもよい。この場合、第１固定端子１４及び第２固定端子１５は、ハウジング２内で略Ｌ字状に折れ曲がる形状であってもよい。また、第１固定端子１４及び第２固定端子１５を可動接触片１６の下方に配置して、電磁駆動装置５によって可動接触片１６を第１固定端子１４及び第２固定端子１５に向けて引き込むように動作させてもよい。
【００４９】
図５〜図１４は、磁石部６の第１〜第８変形例を示す模式図であり、収容部１１の周辺の断面を上方から見た模式図である。第１〜第８変形例のいずれにおいても、収容空間１２内において可動接触片１６の長手方向と平行な方向に流れる磁束Ｍの範囲を短手方向に広げることができる。なお、図５〜図１４では、アーク伸長空間１２ａ，１２ｂの符号を省略している。
【００５０】
図５に示す磁石部６の第１変形例では、磁石部６は、第１磁石６ａ及び第２磁石６ｂの少なくとも一方に接続されるヨーク４０をさらに含む。詳細にはヨーク４０は、第１ヨーク４１と、第２ヨーク４２と、を含む。第１ヨーク４１及び第２ヨーク４２は、第１磁石６ａ及び第２磁石６ｂに接続されている。
【００５１】
第１ヨーク４１は、収容空間１２の前方で可動接触片１６の長手方向に延びている。第１ヨーク４１は、一端が第１磁石６ａに接続され、他端が第２磁石６ｂに接続されている。第１ヨーク４１の両端は、第１磁石６ａ及び第２磁石６ｂを外側から囲むように可動接触片１６の短手方向に延びている。第２ヨーク４２は、第１ヨーク４１と前後方向において対称な形状であり、一端が第１磁石６ａに接続され、他端が第２磁石６ｂに接続されている。
【００５２】
図６に示すように、磁石部６の第２変形例は、ヨーク４０の構成が第１変形例と異なる。詳細には、ヨーク４０は、第１〜第４ヨーク４３〜４６を含む。第１ヨーク４３は、第１磁石６ａに接続されている。第１ヨーク４３は、収容空間１２の前方で可動接触片１６の長手方向に延びている。第１ヨーク４３の一端は、第１磁石６ａに接続され、第１磁石６ａを外側から囲むように可動接触片１６の短手方向に延びている。第１磁石６ａの他端は、収容部１１の長手方向における中央付近に向かって前後方向に延びている。
【００５３】
第２ヨーク４４は、第１ヨーク４３の右側で第２ヨーク４４と間隔を隔てて配置されている。第２ヨーク４４は、第１ヨーク４３と左右方向において対称な形状であり、一端が第２磁石６ｂに接続され、他端が収容部１１の長手方向における中央付近に向かって前後方向に延びている。第３ヨーク４５は、第１ヨーク４３と前後方向において対称な形状であり、一端が第１磁石６ａに接続され、他端が収容部１１の長手方向における中央付近に向かって前後方向に延びている。第４ヨーク４６は、第２ヨーク４４と前後方向において対称な形状であり、第３ヨーク４５の右側で第３ヨーク４５と間隔を隔てて配置されている。第４ヨーク４６は、一端が第２磁石６ｂに接続され、他端が収容部１１の長手方向における中央付近に向かって前後方向に延びている。
【００５４】
なお、第１〜第４ヨーク４３〜４６の一部が収容空間１２の内部に配置されてもよい。この場合、アークが当たらない位置に配置することが好ましい。例えば、図７に示すように、収容部１１の長手方向における中央付近において、第１〜第４ヨーク４３〜４６の一部を収容空間１２の内部に配置してもよい。また、第１ヨーク４３と第２ヨーク４４は、必ずしも左右方向に間隔を隔てる必要はなく、第１ヨーク４３と第２ヨーク４４とが接触して配置されていてもよい。また、第３ヨーク４５と第４ヨーク４６とが接触して配置されていてもよい。
【００５５】
図８に示すように、磁石部６の第３変形例は、ヨーク４０の構成の一部が第２変形例と異なる。詳細には、磁石部６は、第１ヨーク４７と、第２ヨーク４８と、を含む。第１ヨーク４７は、第１磁石６ａに接続されている。第１ヨーク４７は、略Ｕ字状の形状であり、第１磁石部６ａの左側で前後方向に延びるとともに、収容空間１２の前方及び後方で可動接触片１６の長手方向に延びている。第１ヨーク４７の両端は、収容部１１の長手方向における中央付近に向かって前後方向に延びている。第２ヨーク４８は、第１ヨーク４７の右側で第１ヨーク４７と間隔を隔てて配置されている。第２ヨーク４８は、第１ヨーク４７と左右方向において対称な形状であり、第２磁石６ｂに接続されている。
【００５６】
なお、第２変系例と同様に第１ヨーク４７及び第２ヨーク４８の一部が収容空間１２の内部に配置されていてもよい。例えば、図９に示すように、収容部１１の長手方向における中央付近において、第１ヨーク４７及び第２ヨーク４８の両端を収容空間１２の内部に配置してもよい。また、第１ヨーク４７と第２ヨーク４８は、必ずしも左右方向に間隔を隔てる必要はなく、第１ヨーク４７と第２ヨーク４８とが接触して配置されていてもよい。
【００５７】
図１０に示すように、磁石部６の第４変形例は、第１磁石６ａ、第２磁石６ｂ、及びヨーク４０の構成が第１変形例と異なる。第１磁石６ａは、左右方向かつ上下方向に延びている。第１磁石６ａ及び第２磁石６ｂは、収容部１１の周囲で可動接触片１６の短手方向に互いに対向するように配置されている。第１磁石６ａは、収容部１１の前側に配置されている。第２磁石６ｂは、収容部１１の後側に配置されている。第１磁石６ａ及び第２磁石６ｂは、可動接触片１６の長手方向における一端側がＮ極であり、可動接触片１６の長手方向における他端側がＳ極である。
【００５８】
図１０に示すように、可動接触片１６の長手方向における第１磁石６ａ及び第２磁石６ｂの寸法Ｄ３は、可動接触片１６の長手方向における収容空間１２の寸法Ｄ４よりも大きい。詳細には、第１磁石６ａの両端は、収容空間１２よりも可動接触片１６の長手方向外側に延びている。第１磁石６ａの両端は、収容部１１よりも可動接触片１６の長手方向外側に延びている。同様に、第２磁石６ｂの両端は、収容空間１２及び収容部１１よりも可動接触片１６の長手方向外側に延びている。
【００５９】
ヨーク４０は、第１磁石６ａ及び第２磁石６ｂの少なくとも一方に接続されている。ヨーク４０は、磁束を集中させるとともに、収容空間１２内の磁束を長手方向と平行な方向に流すために設けられる。詳細には、ヨーク４０は、第１ヨーク５１と、第２ヨーク５２と、を含む。第１ヨーク５１及び第２ヨーク５２は、第１磁石６ａ及び第２磁石６ｂに接続されている。
【００６０】
第１ヨーク５１は、第１磁石部６ａ及び第２磁石部６ｂの左側で前後方向に延び、一端が第１磁石６ａのＮ極に接続され、他端が第２磁石６ｂのＮ極に接続されている。第１ヨーク５１の両端は、第１磁石６ａ及び第２磁石６ｂを外側から囲むように可動接触片１６の長手方向に延びている。第２ヨーク５２は、第１ヨーク５１と前後方向において対称な形状であり、一端が第１磁石６ａのＳ極に接続され、他端が第２磁石６ｂのＳ極に接続されている。
【００６１】
図１１に示すように、磁石部６の第５変形例は、ヨーク４０の構成が第４変形例と異なる。詳細には、ヨーク４０は、第１〜第４ヨーク５３〜５６を含む。第１ヨーク５３は、第１磁石６ａの左側に配置され、第１磁石６ａのＮ極に接続されている。第２ヨーク５４は、第１磁石６ａの右側に配置され、第１磁石６ａのＳ極に接続されている。第３ヨーク５５は、第２磁石６ｂの左側に配置され、第２磁石６ｂのＮ極に接続されている。第４ヨーク５６は、第２磁石６ｂの右側に配置され、第２磁石６ｂのＳ極に接続されている。第１〜第４ヨーク５３〜５６の両端は、可動接触片１６の長手方向内側に延びている。なお、第１〜第４ヨーク５３〜５６の一部が収容空間１２の内部に配置されてもよい。例えば、第１ヨーク５３の一部が第３内壁面１１ｃを貫通して収容空間１２の内部に配置されてもよい。また、第１ヨーク５３と第３ヨーク５５とが接触して配置されてもよい。第２ヨーク５４と第４ヨーク５６とが、互いに接触して配置されてもよい。
【００６２】
図１２に示すように、磁石部６の第６変形例は、ヨーク４０の構成が第４及び第５変形例と異なる。ヨーク４０は、第１ヨーク５７と、第２ヨーク５８と、を含む。第１ヨーク５７は、第１磁石６ａの前方で可動接触片１６の長手方向に延び、第１磁石６ａに接続されている。また、第１ヨーク５７は、第１磁石６ａの両端を囲むように配置されている。詳細には、第１ヨーク５７は、長手方向の両端から第１磁石６ａを囲むように短手方向内側に延び、先端が長手方向内側に延びている。第２ヨーク５８は、第１ヨーク５７と前後方向において対称な形状であり、第２磁石６ｂに接続されている。
【００６３】
図１３に示すように、磁石部６の第７変形例は、第１磁石６ａ及び第２磁石６ｂの極性の配置、並びにヨーク４０の構成が第４変形例と異なる。第１磁石６ａ及び第２磁石６ｂは、収容部１１の周囲で可動接触片１６の短手方向に互いに異極が対向するように配置されている。ヨーク４０は、第１ヨーク６１と、第２ヨーク６２と、を含む。
【００６４】
第１ヨーク６１は、略Ｕ字状の形状であり、第１延伸部６１ａと、第２延伸部６１ｂと、接続部６１ｃと、を含む。第１延伸部６１ａは、収容部１１と第１磁石６ａとの間で左右方向に延び、第１磁石６ａのＮ極面に接続されている。第２延伸部６１ｂは、収容部１１と第２磁石６ｂとの間で左右方向に延び、第２磁石６ｂのＳ極面に接続されている。接続部６１ｃは、収容部１１の左側で前後方向に延び、第１延伸部６１ａと第２延伸部６２ｂとを接続している。接続部６１ｃは、第１磁石６ａ及び第２磁石６ｂよりも左側に配置されている。
【００６５】
第２ヨーク６２は、略Ｕ字状の形状であり、第１延伸部６２ａと、第２延伸部６２ｂと、接続部６２ｃと、を含む。第１延伸部６２ａは、第１磁石６ａの前方で左右方向に延び、第１磁石６ａのＳ極面に接続されている。第２延伸部６２ｂは、第２磁石６ｂの後方で左右方向に延び、第２磁石６ｂのＮ極面に接続されている。接続部６２ｃは、収容部１１の右側で前後方向に延び、第１延伸部６２ａと第２延伸部６２ｂとを接続している。接続部６２ｃは、第１磁石６ａ及び第２磁石６ｂよりも右側に配置されている。
【００６６】
図１４に示すように、磁石部６の第８変形例は、ヨーク４０の構成が第７変形例と異なる。ヨーク４０は、第１〜第４ヨーク６３〜６６を含む。第１ヨーク６３は、第１延伸部６３ａと、第２延伸部６３ｂと、接続部６３ｃと、を含む。第１延伸部６３ａは、収容部１１と第１磁石６ａとの間で左右方向に延び、第１磁石６ａのＮ極面に接続されている。第２延伸部６３ｂは、収容部１１の左側で第１延伸部６３ａと対向するように左右方向に延びている。第２延伸部６３ｂは、第１延伸部６３ａよりも後方かつ第１可動接点１６ａの中心よりも前方に配置されている。接続部６１ｃは、収容部１１の左側で前後方向に延び、第１延伸部６１ａと第２延伸部６２ｂとを接続している。第２ヨーク６４は、第１ヨーク６３と前後方向において対称な形状であり、第２磁石６ｂのＳ極面に接続されている。
【００６７】
第３ヨーク６５は、第１延伸部６５ａと、第２延伸部６５ｂと、接続部６５ｃと、を含む。第１延伸部６５ａは、第１磁石６ａの前方で左右方向に延び、第１磁石６ａのＳ極面に接続されている。第２延伸部６５ｂは、収容部１１の右側で第１延伸部６５ａと対向するように左右方向に延びている。第２延伸部６５ｂは、第１延伸部６５ａよりも後方かつ第２可動接点１６ｂの中心よりも前方に配置されている。第４ヨーク６６は、第３ヨーク６６と前後方向において対称な形状であり、第２磁石６ｂのＮ極面に接続されている。なお、第２延伸部６３ｂ及び第２延伸部６５ｂは、一部が収容空間１２の内部に配置されていてもよい。また、第１ヨーク６３と第２ヨーク６４は、互いに接触して配置されてもよい。同様に、第３ヨーク６５と第４ヨーク６６は、互いに接触して配置されてもよい。
【産業上の利用可能性】
【００６８】
本発明によれば、本発明によれば、電磁継電器において、アークの伸長方向の制御が容易にできるようになる。
【符号の説明】
【００６９】
６      磁石部
６ａ    第１磁石
６ｂ    第２磁石
１１    収容部
１１ａ  第１内壁面
１１ｂ  第２内壁面
１１ｃ  第３内壁面
１１ｄ  第４内壁面
１２  収容空間
１４    第１固定端子
１４ａ  第１固定接点（固定接点の一例）
１５    第２固定端子
１５ａ  第２固定接点（固定接点の一例）
１６    可動接触片
１６ａ  第１可動接点（可動接点の一例）
１６ｂ  第２可動接点（可動接点の一例）
４０    ヨーク
１００  電磁継電器
【図１】
2020107545.tif 000003
【図２】
2020107545.tif 000004
【図３（Ａ）】
2020107545.tif 000005
【図３（Ｂ）】
2020107545.tif 000006
【図４】
2020107545.tif 000007
【図５】
2020107545.tif 000008
【図６】
2020107545.tif 000009
【図７】
2020107545.tif 000010
【図８】
2020107545.tif 000011
【図９】
2020107545.tif 000012
【図１０】
2020107545.tif 000013
【図１１】
2020107545.tif 000014
【図１２】
2020107545.tif 000015
【図１３】
2020107545.tif 000016
【図１４】
2020107545.tif 000017
【図１５】
2020107545.tif 000018